(57)【要約】【課題】ロック機構を有する操作ダイアルの組み立て作業の容易化を実現する電子機器を提供する。【解決手段】電子機器は、支持部材４に回転可能に支持される操作ダイアル３に係合することで操作ダイアル３を回転規制するロック部材６と、ロック部材６を操作ダイアル３に係合する方向に付勢する付勢部材５と、ロック部材６を付勢部材５の付勢力に抗して操作ダイアル３から離れる方向に移動させることにより、操作ダイアル３の回転規制を解除する解除部材７とを備える。ロック部材６は、操作ダイアル３を組み付ける際に、付勢部材５の付勢力に抗して操作ダイアル３が組み付けられる位置から離れた位置に移動して支持部材４に仮固定され、仮固定が解除されることで、付勢部材５の付勢力により支持部材４に組み付けられた操作ダイアル３に係合する方向に移動する。【選択図】図２
2016166934.tif 000002
【特許請求の範囲】
【請求項１】
支持部材と、
前記支持部材に回転可能に支持される操作ダイアルと、
前記操作ダイアルに係合することで前記操作ダイアルの回転を規制するロック部材と、  前記ロック部材を前記操作ダイアルに係合する方向に付勢する付勢部材と、
前記ロック部材を前記付勢部材の付勢力に抗して前記操作ダイアルから離れる方向に移動させることにより、前記操作ダイアルの回転規制を解除する解除部材と、を備え、
前記ロック部材は、前記操作ダイアルを前記支持部材に組み付ける際に、前記付勢部材の付勢力に抗して前記操作ダイアルが組み付けられる位置から離れた位置に移動して前記支持部材に仮固定され、前記仮固定が解除されることで、前記付勢部材の付勢力により前記支持部材に組み付けられた前記操作ダイアルに係合する方向に移動することを特徴とする電子機器。
【請求項２】
前記ロック部材は、前記仮固定が解除された状態では、前記支持部材に対して回転が規制されていることを特徴とする請求項１に記載の電子機器。
【請求項３】
前記ロック部材は、前記支持部材に形成された切り欠き部に対して回転方向に嵌合することで、前記支持部材に仮固定され、前記切り欠き部に対して嵌合する方向と逆方向に回転することで、前記仮固定が解除されることを特徴とする請求項１又は２に記載の電子機器。
【請求項４】
前記操作ダイアル、又は前記支持部材には、外部から工具を用いて前記ロック部材を前記切り欠き部に対して嵌合する方向と逆方向に回転させるための穴が形成されていることを特徴とする請求項３に記載の電子機器。
【請求項５】
前記ロック部材とともに回転する解除リングを有し、前記解除リングは、前記支持部材に組み付けられた前記操作ダイアルに対して回転方向に係合して前記操作ダイアルの回転により前記ロック部材を前記切り欠き部に対して嵌合する方向と逆方向に回転させることを特徴とする請求項３に記載の電子機器。
【発明の詳細な説明】
【技術分野】
【０００１】
本発明は、例えばデジタルカメラやデジタルビデオカメラ等の撮像装置を含む電子機器に関する。
【背景技術】
【０００２】
デジタルカメラ等の電子機器では、撮影中に操作ダイアルの設定条件が容易に切り替わってしまわないように、操作ダイアルの回転をロックするロック機構を設けたものが提案されている（特許文献１）。この提案では、撮影設定条件を切り替える際には、ロック解除ボタンにより操作ダイアルのロックを解除することで、操作ダイアルの回転操作を可能にしている。
【先行技術文献】
【特許文献】
【０００３】
【特許文献１】特開平７−１３４３２０公報
【発明の概要】
【発明が解決しようとする課題】
【０００４】
上記特許文献１では、操作ダイアルの回転をロックするロックピンがカメラ外装部に固定された支持台の溝部と係合する方向にコイルばねによって付勢され、操作ダイアルとともに回転が規制される。また、ロックピンは、ロック解除ボタンの押し込み操作によって、支持台の溝部との係合が解除され、操作ダイアルとともに回転する。
【０００５】
しかし、このような構成では、操作ダイアルにロックピンを組み込む際に、常にコイルばねの付勢力が作用した状態で組み込む必要があり、組み立て作業が面倒である。
【０００６】
そこで、本発明は、ロック機構を有する操作ダイアルの組み立て作業の容易化を実現する電子機器を提供することを目的とする。
【課題を解決するための手段】
【０００７】
上記目的を達成するために、本発明の電子機器は、支持部材と、前記支持部材に回転可能に支持される操作ダイアルと、前記操作ダイアルに係合することで前記操作ダイアルの回転を規制するロック部材と、前記ロック部材を前記操作ダイアルに係合する方向に付勢する付勢部材と、前記ロック部材を前記付勢部材の付勢力に抗して前記操作ダイアルから離れる方向に移動させることにより、前記操作ダイアルの回転規制を解除する解除部材と、を備え、前記ロック部材は、前記操作ダイアルを前記支持部材に組み付ける際に、前記付勢部材の付勢力に抗して前記操作ダイアルが組み付けられる位置から離れた位置に移動して前記支持部材に仮固定され、前記仮固定が解除されることで、前記付勢部材の付勢力により前記支持部材に組み付けられた前記操作ダイアルに係合する方向に移動することを特徴とする。
【発明の効果】
【０００８】
本発明によれば、ロック機構を有する操作ダイアルの組み立て作業の容易化を実現する電子機器を提供することができる。
【図面の簡単な説明】
【０００９】
【図１】本発明の電子機器の第１の実施形態であるデジタルカメラを正面側（被写体側）から見た斜視図である。
【図２】モードダイアルのダイアル機構の構成を示す分解斜視図である。
【図３】ロック板の取り付け方法を説明する部分拡大斜視図である。
【図４】トップカバーに対してロック板を仮固定した状態を説明する図である。
【図５】トップカバーに対してロック板が仮固定された状態でモードダイアルがトップカバーに組み込まれる様子を示す斜視図である。
【図６】モードダイアルをトップカバーに固定した状態を示す図である。
【図７】ロック板がモードダイアル及びトップカバーと係合した状態を示す斜視図である。
【図８】モードダイアルにロック解除ボタンとダイアル蓋を装着した状態でのダイアル機構を示す断面図である。
【図９】モードダイアルの回転規制が解除された状態での図８（ｂ）と位相を変えた要部断面図である。
【図１０】モードダイアルのダイアル機構をトップカバーの下面側から見た斜視図である。
【図１１】本発明の電子機器の第２の実施形態であるデジタルカメラにおいて、トップカバーに対してロックばね、ロック板解除リング及びロック板を組み付ける様子を示す斜視図である。
【図１２】トップカバーに対してロックばね、ロック板解除リング及びロック板を組み付けた状態を示す斜視図である。
【図１３】ロック板の仮固定状態を解除する動作を説明する分解斜視図である。
【図１４】モードダイアルにロック解除ボタンとダイアル蓋を装着した状態でのダイアル機構の断面図である。
【発明を実施するための形態】
【００１０】
以下、図面を参照して、本発明の実施形態を説明する。
【００１１】
（第１の実施形態）
図１は、本発明の電子機器の第１の実施形態であるデジタルカメラを正面側（被写体側）から見た斜視図である。
【００１２】
本実施形態のデジタルカメラは、図１に示すように、カメラ本体１の正面側にレンズ鏡筒１ａが設けられている。また、カメラ本体１の正面側から見て左側の側部には、撮影者が把持する把持部（グリップ部）２がカメラ本体１の上面側から見てレンズ鏡筒１ａの光軸と直交する回転軸を中心にカメラ本体１に対して回転可能に支持されている。把持部２の背面側上面には、撮影条件設定を切り替えるモードダイアル３が回転操作可能に設けられている。モードダイアル３は、本発明の操作ダイアルの一例に相当する。
【００１３】
図２は、モードダイアル３のダイアル機構の構成を示す分解斜視図である。図２において、トップカバー４は、モードダイアル３を回転可能に支持する支持部材であり、把持部２の上面部の外装を形成する。ロックばね５は、トップカバー４の上面に形成されたスリット溝４ａに挿入される。
【００１４】
ロック板６は、ロックばね５によってモードダイアル３側に付勢され、かつ、トップカバー４の円弧リブ４ｂ，４ｃに円弧穴６ａ，６ｂが貫通して組み込まれることで、トップカバー４に対してモードダイアル３の回転軸方向へ移動可能、かつ回転規制される。ロック板６は、本発明のロック部材の一例に相当し、ロックばね５は、本発明の付勢部材の一例に相当する。
【００１５】
そして、ロック板６は、モードダイアル３の裏面の係合部と係合することによってモードダイアル３の回転を規制することができる。なお、ロック板６とモードダイアル３との係合関係については、後述する。
【００１６】
ロック解除ボタン７は、ボタントップ７ａの周囲に設けられた３か所の脚部７ｉ，７ｂ，７ｃ（脚部７ｉは不図示：以下同じ）を有し、脚部７ｉ，７ｂ，７ｃは、モードダイアル３の貫通穴３ａ，３ｂ，３ｃに弾性変形した状態で挿入される。脚部７ｉ，７ｂ，７ｃの下端は、ロック板６に接しており、ロック解除ボタン７は、ロックばね５によりロック板６を介して浮き方向（図の上方向）に付勢されている。ロック解除ボタン７は、本発明の解除部材の一例に相当する。
【００１７】
ロック解除ボタン７は、脚部７ｉ，７ｂ，７ｃの外周部にそれぞれ２カ所ずつ設けられた突起部７ｊ，７ｋ，７ｄ，７ｅ，７ｆ，７ｇ（突起部７ｊ，７ｋは不図示：以下同じ）がモードダイアル３の貫通穴３ｂ，３ａ，３ｃの端に掛止されて抜け止めされる。これにより、ロック解除ボタン７は、モードダイアル３に対し所定位置まで移動して停止する。ダイアル蓋８は、モードダイアル３の指標となる表示が設けられ、ロック解除ボタン７のボタントップ７ａに嵌め込まれてモードダイアル３の上面側に固定される。
【００１８】
クリック板１１は、トップカバー４の内面側（図の下面側）からモードダイアル３に固定される。クリック板１１には、信号基板１６上の露出パターン１６ａに接触して、撮影条件設定の切り替えを行う接点ブラシ１２が固定されている。クリック板１１は、ビス１３によってモードダイアル３に固定され、モードダイアル３を回転させることで、接点ブラシ１２がクリック板１１と一体で回転して信号基板１６の露出パターン１６ａ上を摺動する。
【００１９】
ボール１４は、クリック板１１の側面の複数の凹部１１ａの１か所に挿入され、凹部１１ａの逆方向からクリックばね１５によって付勢されて、クリック板１１を所定負荷で回転規制している。クリックばね１５の所定負荷以上でモードダイアル３を回転させると、ボール１４は、クリック板１１の凹部１１ａ間の凸部を乗り越えて隣の凹部１１ａに移動し、これにより、クリック感が付与される。
【００２０】
クリック板１１とボール１４によって所定負荷で保持された位置で、接点ブラシ１２が接触した露出パターン１６ａの信号により撮影条件の設定信号が発生する。内部地板１７は、信号基板１６が固定され、トップカバー４の内面側に固定される各種スイッチ等が配置される。
【００２１】
図３は、ロック板６の取り付け方法を説明する部分拡大斜視図である。図３（ａ）は、トップカバー４にロック板６を装着する前の状態を示しており、トップカバー４のスリット溝４ａにロックばね５が挿入されている。図３（ｂ）は、ロック板６の円弧穴６ａ, ６ｂを円弧リブ４ｂ，４ｃに挿入して、ロックばね５を圧縮しながらロック板６を押し込んだ状態を示している。図３（ｃ）は、ロック板６がトップカバー４に仮固定された状態を示している。
【００２２】
ロック板６は、図３（ｂ）に示す位置まで押し込まれると、円弧リブ４ｂ，４ｃの根元部に設けられた２か所のリブ切り欠き部４ｅ，４ｆ（リブ切り欠き部４ｆは図４（ｂ）参照：以下同じ）により回転が可能となる。そして、ロック板６の回転により、円弧穴６ａ，６ｂの端部がリブ切り欠き部４ｅ，４ｆに対して周方向に嵌合される。これにより、ロック板６は、ロックばね５の付勢力による浮きが規制され、トップカバー４に対して仮固定状態となる。
【００２３】
図４は、トップカバー４に対してロック板６を仮固定した状態を説明する図である。図４（ａ）は、トップカバー４に対してロック板６を仮固定した状態を上面側から見た図である。図４（ｂ）は、図４（ａ）のＡ−Ａ線断面図である。図４に示すように、ロック板６の円弧穴６ａ，６ｂの端部がリブ切り欠き部４ｅ，４ｆに対して周方向に嵌合されてロックばね５の付勢力によるロック板６の浮きが規制されている。
【００２４】
図５は、トップカバー４に対してロック板６が仮固定された状態でモードダイアル３がトップカバー４に組み込まれる様子を示す斜視図である。図５（ａ）は、トップカバー４に対してロック板６が仮固定された状態でトップカバー４にモードダイアル３を上方から嵌め込む前の状態を示している。図５（ｂ）は、トップカバー４に対してモードダイアル３が上方から嵌め込まれた状態を示している。
【００２５】
図６は、モードダイアル３をトップカバー４に固定した状態を示す図である。図６（ａ）は、モードダイアル３をトップカバー４に固定した状態を示す上面部である。図６（ｂ）は、トップカバー４に対してロック板６を仮固定した状態でモードダイアル３をトップカバー４の内面側から固定した状態での図６（ａ）のＢ−Ｂ線断面図である。
【００２６】
図６（ｂ）に示す状態では、モードダイアル３は、モードダイアル３の回転軸３ｈがトップカバー４のスリーブ４ｈに嵌合されている。そして、トップカバー４の内面側からスリーブ４ｈとの間にクリック板１１及び接点ブラシ１２を挟んだ状態でビス１３が回転軸３ｈの下端に締結され、これにより、トップカバー４に対してモードダイアル３が回転可能に支持されている。このとき、ロック板６は、ロックばね５を圧縮した状態でモードダイアル３と接触していない仮固定位置に配置されている。
【００２７】
図６（ｃ）は、ロック板６の仮固定が解除された状態での図６（ａ）のＢ−Ｂ線断面図である。図６（ｃ）の状態では、図６（ｂ）の状態から図６（ａ）に示すモードダイアル３の貫通穴３ａに露出する仮固定解除穴６ｃを外部からピンセット等の工具を用いてリブ切り欠き部４ｅ，４ｆに対して周方向に嵌合されたロック板６を嵌合方向と逆方向に回転させる。これにより、ロック板６の仮固定が解除され、ロック板６は、ロックばね５のばね付勢力によりモードダイアル３側に持ち上げられてモードダイアル３の下面に突き当たる位置まで移動して停止する。
【００２８】
図７は、ロック板６がモードダイアル３及びトップカバー４と係合した状態を示す斜視図である。図７（ａ）は、ロック板６がモードダイアル３の下面に突き当たる位置での状態、即ち、仮固定が解除された状態を示しており、モードダイアル３の図示は省略している。図７（ｂ）は、ロック板６がモードダイアル３の下端面に突き当たる位置でのロック板６とモードダイアル３との関係を示している。
【００２９】
図７（ａ）では、ロック板６は、円弧穴６ａ，６ｂと円弧リブ４ｂ，４ｃが回転方向に係合しているため、トップカバー４に対して回転できない。このとき、図７（ｂ）に示すように、モードダイアル３の内周部に径方向内側に突設された３か所の回転止め突起部３ｄ，３ｅ，３ｆがロック板６の外周部の複数の櫛歯部６ｇにそれぞれ噛合している。
【００３０】
これにより、ロック板６に対してモードダイアル３の回転が規制（ロック）され、トップカバー４に対してモードダイアル３の回転が規制された状態となっている。また、複数の撮影条件設定位置の両端では、円弧リブ４ｂに設けられたストッパリブ４ｊがモードダイアル３のストッパ壁３ｇ（他端側不図示）に突き当たり、それ以上のモードダイアル３の回転が規制される。
【００３１】
図８は、モードダイアル３にロック解除ボタン７とダイアル蓋８を装着した状態でのダイアル機構を示す断面図である。図８（ａ）は、モードダイアル３が回転規制された状態の要部断面図である。図８（ｂ）は、モードダイアル３の回転規制（ロック）が解除された状態の要部断面図である。
【００３２】
図８（ａ）では、ロック解除ボタン７は、脚部７ｉ，７ｂ，７ｃがロック板６により押し上げられており、この状態では、図７で既に説明したように、ロック板６は、モードダイアル３とトップカバー４の両者に係合している。
【００３３】
この状態から、図８（ｂ）に示すように、ロック解除ボタン７のボタントップ７ａを押し込むと、ロック解除ボタン７は、ガイド軸７ｈがトップカバー４のガイド穴４ｉに案内されてモードダイアル３の回転軸３ｈの軸方向に沿って移動する。これにより、脚部７ｉ，７ｂ，７ｃがロック板６をロックばね５の付勢力に抗して押し下げ、係合していた回転止め突起部３ｄ，３ｅ，３ｆがロック板６の櫛歯部６ｇから外れてモードダイアル３が回転可能となる。
【００３４】
図９は、モードダイアル３の回転規制が解除された状態での図８（ｂ）と位相を変えた要部断面図である。図９に示す状態では、接点ブラシ１２に接する信号基板１６が内部地板１７とともにトップカバー４に固定されている。ロック解除ボタン７が押し込まれてモードダイアル３が回転可能となっているが、クリック板１１の凹部１１ａにボール１４がクリックばね１５に付勢された状態で挿入されているため、所定負荷でモードダイアル３は回転停止されている。
【００３５】
この回転停止位置では、ダイアル蓋８の撮影条件設定表示がトップカバー４に設けられた不図示の指標位置と一致しており、このとき、接点ブラシ１２と露出パターン１６ａの接触状態により所定の設定信号を発生する。モードダイアル３は、回転停止状態から所定負荷以上の回転力を付与すれば、ボール１４がクリックばね１５を圧縮しながら図２に示す複数の凹部１１ａ間の凸部を乗り越えるため回転できる。
【００３６】
図１０は、モードダイアル３のダイアル機構をトップカバー４の下面側から見た斜視図である。図１０に示すように、トップカバー４の側面には、開口部４ｇが設けられ、開口部４ｇの内部には、仮固定されたロック板６（図６（ａ）参照）の仮固定解除穴６ｃが露出している。これにより、ロック板６を仮固定した状態でロック解除ボタン７とダイアル蓋８をモードダイアル３に装着してしまった場合でも、開口部４ｇからロック板６の仮固定解除穴６ｃを操作してロック板６の仮固定を解除することができる。
【００３７】
以上説明したように、本実施形態では、モードダイアル３の組み立て作業時に、ロックばね５の付勢力によりモードダイアル３及びロック板６が移動しない仮固定状態で、容易に組み立て作業を行うことができる。そして、組み立て完了後、容易にロック板６の仮固定を解除することができるため、ロックばね５の付勢力をモードダイアル３及びロック板６に正常に付与して組み立て作業を完了できる。このため、ロック機構を有するモードダイアル３の組み立て作業の容易化を実現するデジタルカメラを提供することができる。
【００３８】
（第２の実施形態）
次に、図１１乃至図１４を参照して、本発明の電子機器の第２の実施形態であるデジタルカメラを説明する。なお、上記第１の実施形態に対して重複又は相当する部分については、各図に同一符号を付して説明する。
【００３９】
図１１は、トップカバー４に対してロックばね５、ロック板解除リング２０及びロック板６を組み付ける様子を示す斜視図である。図１１に示すように、ロック板解除リング２０の外周部には、３か所のリブ２０ａ，２０ｂ，２０ｃが設けられ、ロック板解除リング２０の内周部には、解除ボス２０ｄが設けられている。ロック板解除リング２０の中央開口部２０ｅは、トップカバー４の円弧リブ４ｂ，４ｃの根元部に対して回転可能に嵌合される。また、トップカバー４のスリット溝４ａには、ロックばね５が挿入されている。
【００４０】
図１２は、トップカバー４に対してロックばね５、ロック板解除リング２０及びロック板６を組み付けた状態を示す斜視図である。図１２（ａ）は、ロック板６の円弧穴６ａ，６ｂを円弧リブ４ｂ，４ｃに挿入して、ロックばね５を圧縮しながらロック板６を押し込んだ状態を示している。図１２（ｂ）は、ロック板６を回転させることで円弧穴６ａ，６ｂの端部をリブ切り欠き部４ｅ，４ｆに周方向に嵌合してトップカバー４に対してロック板６を仮固定した状態を示している。
【００４１】
このとき、ロック板６の仮固定解除穴６ｃには、ロック板解除リング２０の解除ボス２０ｄが挿入されている。従って、円弧穴６ａ，６ｂの端部をリブ切り欠き部４ｅ，４ｆに周方向に嵌合されるようにロック板６を回転させたとき、ロック板解除リング２０も回転する。このため、ロック板解除リング２０は、ロック板６と同様に、ロックばね５の付勢力による浮きが規制され、仮固定状態となる。
【００４２】
図１３は、ロック板６の仮固定状態を解除する動作を説明する分解斜視図である。図１３（ａ）に示すように、モードダイアル３の裏面側には、解除突起部３ｊが設けられている。解除突起部３ｉは、ロック板解除リング２０のリブ２０ａとリブ２０ｃの間に位置するように組み込まれる。モードダイアル３は、複数の停止ポジションを有しており、回転方向の両端で回転規制される。
【００４３】
図１３（ａ）は、モードダイアル３が図の時計回り方向の回転端に位置している状態を示しており、この位置でモードダイアル３を組み付けると、解除突起部３ｊは、リブ２０ｃに近接して組み込まれる。モードダイアル３を組み込み、ビス１３を回転軸３ｈの下端に締結した後、図１３（ｂ）に示すように、モードダイアル３を反時計回り方向の回転端まで回転させる。
【００４４】
このとき、モードダイアル３の解除突起部３ｊは、ロック板解除リング２０のリブ２０ａを反時計回り方向に回転させる。また、ロック板６の仮固定解除穴６ｃにロック板解除リング２０の解除ボス２０ｄが挿入されているため、ロック板６もロック板解除リング２０とともに反時計回り方向に回転させられる。
【００４５】
そして、反時計回り方向に回転したロック板６は、円弧穴６ａ，６ｂの端部がトップカバー４のリブ切り欠き部４ｅ，４ｆから周方向に離脱した瞬間、ロックばね５の付勢力によってモードダイアル３の回転軸３ｈに沿って上方に移動し、仮固定状態が解除される。
【００４６】
図１４は、モードダイアル３にロック解除ボタン７とダイアル蓋８を装着した状態でのダイアル機構の断面図である。図１４（ａ）は、ロック板６が仮固定された状態を示しており、この状態では、ロック解除ボタン７は、ロック板６から離れているため、ロックばね５の付勢力を受けていない。また、ロック板解除リング２０は、ロック板６とともに浮きが規制されている。
【００４７】
図１４（ｂ）は、ロック板６の仮固定が解除された状態を示している。この状態では、ロックばね５のばね付勢力によりロック板６とロック解除ボタン７が回転軸３ｈに沿ってモードダイアル３側に移動する。ロック板解除リング２０は、ロック板６による浮き規制がなくなるが、リブ２０ａ，２０ｂ，２０ｃの上端面がモードダイアル３の下面に突き当たり、上方への移動が規制される。この状態では、上記第１の実施形態と同様に、ロック板６とモードダイアル３が係合しているため、モードダイアル３は、回転規制される。
【００４８】
図１４（ｃ）は、ロック解除ボタン７がモードダイアル３に突き当たるまで仮固定状態が解除されたロック板６を押し込んだ状態を示している。
【００４９】
この状態では、モードダイアル３は、回転規制が解除される。このとき、ロック板６は、仮固定解除穴６ｃがロック板解除リング２０の解除ボス２０ｄに挿入される位置まで押し込まれないので、ロック板６とロック板解除リング２０は係合することはない。
【００５０】
以上説明したように、本実施形態では、上記第１の実施形態のように工具を用いることなく、ロック板６の仮固定状態を解除することができ、また、ロック板６の仮固定状態の解除をし忘れることもなく、誤組みが防止できる。その他の構成、及び作用効果は、上記第１の実施形態と同様である。
【００５１】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【００５２】
３  モードダイアル
４  トップカバー
４ｅ，４ｆ  リブ切り欠き部
５  ロックばね
６  ロック板
６ａ，６ｂ  円弧穴
７  ロック解除ボタン
【図１】
2016166934.tif 000003
【図２】
2016166934.tif 000004
【図３】
2016166934.tif 000005
【図４】
2016166934.tif 000006
【図５】
2016166934.tif 000007
【図６】
2016166934.tif 000008
【図７】
2016166934.tif 000009
【図８】
2016166934.tif 000010
【図９】
2016166934.tif 000011
【図１０】
2016166934.tif 000012
【図１１】
2016166934.tif 000013
【図１２】
2016166934.tif 000014
【図１３】
2016166934.tif 000015
【図１４】
2016166934.tif 000016